(57)【要約】【課題】画像形成装置に付設されている後処理装置で配達物のサイズや重量を測定する。【解決手段】後処理装置には、後処理された用紙を排出するソート用排紙トレイが上部に昇降可能に設けられているとともに、配達物を載置する載置トレイが下部に固定され、かつソート用排紙トレイが下降して載置トレイ上の配達物に接触した際における両トレイ間の距離を配達物の高さとみなす高さ測定手段１８が設けられている。載置トレイには、積載した配達物の重量を測定する重量測定手段１９と、積載した配達物の奥行きを測定する奥行き測定手段２０とが設けられている。ソート用排紙トレイには、載置トレイ上の配達物の幅を測定する幅測定手段２２が設けられている。【選択図】図５
2016159487.tif 000002
【特許請求の範囲】
【請求項１】
画像形成装置本体と、該画像形成装置本体に付設され、画像形成装置本体から搬送された画像形成済みの用紙を後処理する後処理装置とを備えた後処理装置付き画像形成装置であって、
上記後処理装置には、後処理された用紙を排出する排紙トレイが上部に昇降可能に設けられているとともに、配達物を載置する載置トレイが下部に固定され、かつ上記排紙トレイが下降して上記載置トレイ上の配達物に接触した際における両トレイ間の距離を配達物の高さとみなす高さ測定手段が設けられ、
上記載置トレイには、積載した配達物の重量を測定する重量測定手段と、積載した配達物の奥行きを測定する奥行き測定手段とが設けられ、
上記排紙トレイには、上記載置トレイ上の配達物の幅を測定する幅測定手段が設けられていることを特徴とする後処理装置付き画像形成装置。
【請求項２】
請求項１に記載の後処理装置付き画像形成装置において、
上記高さ測定手段、重量測定手段、奥行き測定手段及び幅測定手段は、制御手段に接続され、
上記制御手段は、上記高さ測定手段、奥行き測定手段及び幅測定手段の測定結果に基づいて配達物の体積を求め、この体積と上記重量測定手段により測定した重量とに基づいて配達物の配達料金を演算する演算部を備えていることを特徴とする後処理装置付き画像形成装置。
【請求項３】
請求項２に記載の後処理装置付き画像形成装置において、
上記制御手段は、上記演算部で演算した配達料金に基づいて伝票発行部に配達伝票の発行を指示することを特徴とする後処理装置付き画像形成装置。
【発明の詳細な説明】
【技術分野】
【０００１】
本発明は、後処理装置付き画像形成装置に関する。
【背景技術】
【０００２】
特許文献１には、穿孔処理（パンチ処理）、ステープル処理、中折り処理等の後処理を行う後処理装置（フィニッシャー）がオプション機器として付設された画像形成装置が開示されている。この種の画像形成装置では、画像形成装置本体から搬送された画像形成済みの用紙に対して穿孔処理等の後処理を行う。
【先行技術文献】
【特許文献】
【０００３】
【特許文献１】特開２０１３−８３９６７号公報
【発明の概要】
【発明が解決しようとする課題】
【０００４】
ところで、現在では、コンビニエンスストア（以下、コンビニという）等でメール便や郵便物の配達手続が可能になっている。その際、人手で配達物のサイズや重量を測定して配達料金を決定しているが、測定に時間が掛かる。またサイズに関しては、人によってバラつきが出ることがある。
【０００５】
そこで、コンビニ等には、後処理装置付き画像形成装置（複合機等）が設置されていることから、この画像形成装置を利用して配達物のサイズや重量を測定できれば、画像形成装置の利便性が向上するとともに、レジ作業の効率化及び迅速化が可能となって好ましい。
【０００６】
本発明はかかる点に鑑みてなされたものであり、その目的とするところは、画像形成装置に付設されている後処理装置で配達物のサイズや重量を測定できるようにすることである。
【課題を解決するための手段】
【０００７】
本発明に係る後処理装置付き画像形成装置は、画像形成装置本体と、該画像形成装置本体に付設され、画像形成装置本体から搬送された画像形成済みの用紙を後処理する後処理装置とを備えている。上記後処理装置には、後処理された用紙を排出する排紙トレイが上部に昇降可能に設けられているとともに、配達物を載置する載置トレイが下部に固定され、かつ上記排紙トレイが下降して上記載置トレイ上の配達物に接触した際における両トレイ間の距離を配達物の高さとみなす高さ測定手段が設けられ、上記載置トレイには、積載した配達物の重量を測定する重量測定手段と、積載した配達物の奥行きを測定する奥行き測定手段とが設けられ、上記排紙トレイには、上記載置トレイ上の配達物の幅を測定する幅測定手段が設けられている。
【０００８】
この構成によれば、人手を煩わせることなく配達物のサイズや重量をばらつきなく短時間に測定できる。また、コンビニ等にある画像形成装置に付設されている後処理装置を利用することで、画像形成装置の利便性が向上するとともに、レジ作業の効率化及び迅速化が図られる。
【０００９】
この場合、上記高さ測定手段、重量測定手段、奥行き測定手段及び幅測定手段は、制御手段に接続され、上記制御手段は、上記高さ測定手段、奥行き測定手段及び幅測定手段の測定結果に基づいて配達物の体積を求め、この体積と上記重量測定手段により測定した重量とに基づいて配達物の配達料金を演算する演算部を備えていることが好ましい。
【００１０】
この構成によれば、配達料金を正確に算出できる。
【００１１】
さらに、上記制御手段は、上記演算部で演算した配達料金に基づいて伝票発行部に配達伝票の発行を指示するようにしてもよい。
【００１２】
この構成によれば、配達伝票を自動的に発行できて至便である。
【発明の効果】
【００１３】
本発明によれば、画像形成装置に付設されている後処理装置で配達物のサイズや重量を測定でき、画像形成装置の利便性を向上させるとともに、レジ作業の効率化及び迅速化を図ることができる。
【図面の簡単な説明】
【００１４】
【図１】図１は、後処理装置付き画像形成装置の外観図である。
【図２】図２は、排紙トレイに設けられた幅測定手段の平面図である。
【図３】図３は、画像形成装置本体の内部構成を示すブロック図である。
【図４】図４は、後処理装置の内部構成を示すブロック図である。
【図５】図５は、後処理装置の制御系のブロック図である。
【発明を実施するための形態】
【００１５】
以下、本発明の実施形態を図面に基づいて詳細に説明する。なお、本発明は、以下の実施形態に限定されるものではない。
【００１６】
図１は、例えばレーザプリンターや複合機等の画像形成装置１であり、画像形成装置１は、画像形成装置本体２を備え、画像形成装置本体２には、オプション機器として後処理装置３が付設されている。
【００１７】
画像形成装置本体２は、用紙を搬送しながら、端末等（図示省略）から送信される画像データに基づいて用紙に画像を形成するように構成されている。画像形成装置本体２は、図３に示すように、給紙部４、画像形成部５及び定着部６を備えている。なお、排紙部は、後述するように後処理装置３側に設けられている。
【００１８】
給紙部４は、用紙を画像形成部５へ供給するカセット給紙部や手差しトレイである。画像形成部５は、現像器７や感光体ドラム８等を備えている。画像形成部５では、光走査装置（図示省略）によって感光体ドラム８に静電潜像が形成され、その静電潜像が現像器７によって現像されてトナー像になる。このトナー像は、給紙部４から供給された用紙に転写される。定着部６は、定着ローラー及び加圧ローラー（何れも図示省略）を備え、画像形成部５で用紙に転写されたトナー像を用紙に定着させる。こうして、用紙に画像が形成される。
【００１９】
さらに、画像形成装置本体２は、トナーコンテナー９とトナー回収装置１０とを備えている。トナーコンテナー９は、現像器７に供給する現像剤としてのトナーが収容されている。トナー回収装置１０は、感光体ドラム８上に残留したトナーを回収するものである。
【００２０】
後処理装置３は、図４に示すように、画像形成装置本体２から搬送された画像形成済みの用紙を後処理するためのものであり、ステープル処理部１１を備えている。ステープル処理部１１は、スタックトレイ１２とステープル装置１３とを備え、穿孔処理後に搬送された用紙をスタックトレイ１２に所定枚数積載し、これら用紙の束に対してステープル装置１３でステープル処理を行う。
【００２１】
なお、本例では、後処理装置３は、ステープル処理を行う場合を例示したが、画像形成装置本体２から搬送された画像形成済みの用紙の端部に対してパンチ装置で穿孔処理を行う穿孔処理部を備えている場合や、ステープル処理された用紙の束の中央をセンター合わせ装置で処理位置に合わせた後、用紙の束の中央に対して折曲装置で中折り処理を行う中折り処理部を備えている場合であってもよい。
【００２２】
後処理装置３の上部には、図１に示すように、２つの排紙部（排紙トレイ）が設けられている。上段の排紙トレイがノンソート用排紙トレイ１４であり、下段の排紙トレイがソート用排紙トレイ１５である。
【００２３】
ノンソート用排紙トレイ１４は、画像形成装置本体２の定着部６で画像が形成された用紙のうち、後処理装置３のステープル処理部１１に搬送されない用紙が排出される排紙トレイである。
【００２４】
ソート用排紙トレイ１５は、ステープル処理部１１に搬送されてステープル処理された用紙を排出する排紙トレイであり、昇降手段１６（図５参照）により用紙の枚数に応じて後処理装置３のハウジングの側壁に沿って昇降可能に配置されている。この昇降手段１６は、周知のものであり、例えば上下に配置された駆動プーリ及び従動プーリにエンドレスベルトを巻き掛け、このエンドレスベルトにソート用排紙トレイ１５を連結して、検知センサーの用紙検知信号に基づいて電動モーターを駆動させてエンドレスベルトを上下に走行させ、ソート用排紙トレイ１５を昇降させる。
【００２５】
後処理装置３の下部には、配達物Ｄを載置する載置トレイ１７が固定されている。また、後処理装置３には、ソート用排紙トレイ１５が下降して載置トレイ１７上の配達物Ｄに接触した際における両トレイ１５，１７間の距離を配達物の高さＴとみなす高さ測定手段１８（図５参照）が設けられている。この高さ測定手段１８は、昇降手段１６を利用したものであり、例えば電動モーターに装着されたロータリエンコーダー等の検出信号によりソート用排紙トレイ１５の下降位置を検出する。
【００２６】
載置トレイ１７には、積載した配達物Ｄの重量を測定する重量測定手段１９（図５参照）が設けられている。この重量測定手段１９は、例えばロードセルにかかる荷重を電気信号に変換して出力する周知のものを使用する。
【００２７】
また、載置トレイ１７には、積載した配達物Ｄの奥行きＷ１を測定する奥行き測定手段２０（図５参照）が設けられている。この奥行き測定手段２０は、スライド部材２１（図１参照）の移動量をロータリエンコーダー等の検出信号により検出して配達物Ｄの奥行きＷ１とみなす。
【００２８】
ソート用排紙トレイ１５には、載置トレイ１７上の配達物Ｄの幅Ｗ２を測定する幅測定手段２２が設けられている。この幅測定手段２２は、ステープル処理部１１からソート用排紙トレイ１５上に排出された用紙の幅を規制するものを応用したのであって、ソート用排紙トレイ１５の表面側及び裏面側に突出する２つの幅寄せ板２３（図２参照）を図示しないラック＆ピニオン機構を介して互いに接近させることで配達物Ｄを両側から挟み、そのときの幅寄せ板２３の移動量をロータリエンコーダー等の検出信号により検出して配達物Ｄの幅Ｗ２とみなす。
【００２９】
高さ測定手段１８（昇降手段１６）、重量測定手段１９、奥行き測定手段２０及び幅測定手段２２は、図５に示すように、制御手段としてのコントローラー２４に接続されている。
【００３０】
コントローラー２４は、演算部２５を内蔵している。この演算部２５には、配達物Ｄの体積（高さＴ、奥行きＷ１及び幅Ｗ２）に基づく体積と、配達物Ｄの重量とに基づく配達料金がランク別に格納されており、高さ測定手段１８、奥行き測定手段２０及び幅測定手段２２の測定結果に基づいて配達物Ｄの体積を求め、この体積と重量測定手段１９により測定した重量とに基づいて配達物Ｄの配達料金を演算部２５で演算する。
【００３１】
また、後処理装置３のディスプレイには、配達料金設定ボタン２６、配達料金表示部２７及び伝票発行部２８が設けられている。これら配達料金設定ボタン２６、配達料金表示部２７及び伝票発行部２８は、コントローラー２４に接続されている。
【００３２】
そして、ユーザーが載置トレイ１７に配達物Ｄを載置して配達料金設定ボタン２６を押すと、コントローラー２４は演算部２５で自動的に配達物Ｄの体積と重量に基づいて配達料金を演算して、演算した配達料金を配達料金表示部２７に表示するとともに、この配達料金に基づいて伝票発行部２８に配達伝票の発行を指示する。ユーザーは配達伝票を持ってカウンターで精算する。
【００３３】
このように、コンビニ等にある既存の後処理装置付き画像形成装置１を利用して、つまり後処理装置３に配達物Ｄの高さＴを測定する高さ測定手段１８、配達物Ｄの奥行きＷ１を測定する奥行き測定手段２０、及び配達物Ｄの幅Ｗ２を測定する幅測定手段２２を設けたので、配達物Ｄのサイズや重量の測定を人手を煩わせることなく、しかもばらつくことなく短時間に行うことができるとともに、画像形成装置１の利便性を向上させることができるとともに、効率良くかつ迅速にレジ作業を行うことができる。
【００３４】
さらに、高さ測定手段１８、奥行き測定手段２０及び幅測定手段２２による自動測定結果をコントローラー２４に入力して配達物Ｄの体積を求め、この体積と重量測定手段１９により測定した重量とに基づいて配達物Ｄの配達料金を演算部２５で演算するようにしたので、正確な配達料金の算出を行うことができる。
【００３５】
また、演算部２５で演算した配達料金を配達料金表示部２７に表示するとともに、演算した配達料金に基づいて伝票発行部２８が配達伝票を自動発行するので、至便である。
【産業上の利用可能性】
【００３６】
以上説明したように、本発明は、用紙に対してステープル処理等の後処理を行う後処理装置付き画像形成装置について有用である。
【符号の説明】
【００３７】
１    画像形成装置
２    画像形成装置本体
３    後処理装置
１５  ソート用排紙トレイ
１７  載置トレイ
１８  高さ測定手段
１９  重量測定手段
２０  奥行き測定手段
２２  幅測定手段
２４  コントローラー（制御手段）
２５  演算部
２８  伝票発行部
Ｄ    配達物
Ｔ    配達物の高さ
Ｗ１  配達物の奥行き
Ｗ２  配達物の幅
【図１】
2016159487.tif 000003
【図２】
2016159487.tif 000004
【図３】
2016159487.tif 000005
【図４】
2016159487.tif 000006
【図５】
2016159487.tif 000007